(57)【要約】【課題】混注作業等の与薬準備を支援しつつ、各種の薬剤の薬剤識別情報と各種の薬剤の与薬における注意情報を含む薬剤情報を効率よく共有する。【解決手段】作業台１は、医療支援システム２０を備える。医療支援システム２０は、薬剤容器に収容される薬剤を識別する薬剤識別情報を保持する薬剤識別情報保持手段を読み取る読取装置２２と、操作者に情報を表示する表示装置２３と、読取装置２２から薬剤識別情報を取得する制御装置２１とを有する。制御装置２１は、薬剤識別情報と注意情報とを含む薬剤情報を記憶するデータテーブルに注意情報を予め設定する注意情報設定処理と、指示情報を取得する指示情報取得処理と、薬剤容器に収容される薬剤が指示情報に含まれる薬剤であるか否かを判定して判定結果を出力する薬剤判定処理と、データテーブルに基づいて薬剤の注意情報とを表示する表示処理とを実行する。【選択図】図１
2019180586.tif 000002
【特許請求の範囲】
【請求項１】
薬剤容器に収容される薬剤を識別する薬剤識別情報を保持する薬剤識別情報保持手段であって、前記薬剤容器に付される前記薬剤識別情報保持手段を読み取り可能な読取装置と、
操作者に情報を表示する表示装置と、
前記読取装置から少なくとも前記薬剤識別情報を取得し、且つ、前記表示装置に情報を出力する制御装置と、を備えており、
前記制御装置は、
少なくとも１種類の与薬に使用される薬剤の前記薬剤識別情報を含む指示情報を取得する指示情報取得処理と、
前記読取装置によって読み取られた前記薬剤識別情報保持手段が保持する前記薬剤識別情報と前記指示情報取得処理で取得された前記指示情報に含まれる前記薬剤識別情報とに基づいて、前記薬剤識別情報保持手段が付された前記薬剤容器に収容される薬剤が、前記指示情報に含まれる前記少なくとも１種類の与薬に使用される薬剤であるか否かを判定して、判定結果を出力する薬剤判定処理と、
各種の薬剤の前記薬剤識別情報と各種の薬剤の与薬における注意情報を含む薬剤情報を記憶するデータテーブルであって、各種の薬剤の前記薬剤識別情報に紐づけて、各種の薬剤の与薬における前記注意情報を予め設定されたデータテーブルに基づいて、前記薬剤容器に収容される薬剤または前記指示情報に含まれる前記少なくとも１種類の与薬に使用される薬剤に紐づけられる前記注意情報を前記表示装置に表示する表示処理と、
を実行することを特徴とする医療支援システム。
【請求項２】
前記読取装置は、第１指示情報を保持する指示情報保持手段であって、指示書に付された前記指示情報保持手段を読み取り可能に構成され、
前記制御装置の前記指示情報取得処理は、前記読取装置によって読み取られた前記指示情報保持手段が保持する前記第１指示情報を前記指示情報として取得することを特徴とする請求項１に記載の医療支援システム。
【請求項３】
前記制御装置の前記指示情報取得処理は、更に外部から第２指示情報を取得可能に構成され、
前記制御装置の前記指示情報取得処理は、前記第１指示情報または前記第２指示情報のいずれか一方を前記指示情報とすることを特徴とする請求項２に記載の医療支援システム。
【請求項４】
印刷を行う印刷装置をさらに備えており、
前記制御装置は、
前記注意情報が前記印刷装置で印刷されるように制御する印刷手段をさらに備えることを特徴とする請求項１〜３のいずれか一項に記載の医療支援システム。
【請求項５】
前記薬剤容器に収容される薬剤は、前記指示情報に基づいて調剤された薬剤であり、
前記操作者は、前記薬剤を与薬する医療関係者であることを特徴とする請求項１〜４のいずれか一項に記載の医療支援システム。
【請求項６】
前記制御装置は、
前記データテーブルに、各種の薬剤の前記薬剤識別情報に紐づけて、各種の薬剤の与薬における前記注意情報を設定する注意情報設定処理を更に実行することを特徴とする請求項１〜５のいずれか一項に記載の医療支援システム。
【請求項７】
与薬準備に用いられる作業台であって、請求項１〜６のいずれか一項に記載の前記医療支援システムを少なくとも１つ備えることを特徴とする作業台。
【発明の詳細な説明】
【技術分野】
【０００１】
本発明は、薬剤の混注作業等の与薬準備を支援するための医療支援システムおよび作業台に関する。
【背景技術】
【０００２】
特許文献１には、経管投与に関する情報を医療関係者や患者等に効果的に提供する調剤支援システムが開示されている。特許文献１の調剤支援システムでは、指示情報に含まれる薬剤の情報に基づいて、薬剤が経管投与可能かどうかの判断をする。そして、指示情報に含まれる薬剤が経管投与可能な薬剤であると判断された場合は、経管投与の方法を記載した経管投与情報を出力する。
【先行技術文献】
【特許文献】
【０００３】
特開２０１３−１７８３２号公報
【発明の概要】
【発明が解決しようとする課題】
【０００４】
上述のような調剤支援システムでは、調剤が行われる際に、経管投与情報が出力される。そして、調剤が行われた後は、指示情報に基づいて与薬準備および与薬を行う看護師等の医療関係者に指示情報および経管投与情報とともに薬剤が提供される。そして、医療関係者は、指示情報に基づき、作業台で混注作業等の与薬準備を行い、経管投与情報に基づき与薬を行う。与薬準備は短時間での対応が求められることが多い上、指示情報や薬剤等の目視による確認作業を伴う。しかしながら、薬剤は類似するものもあり、与薬準備や与薬を行う際の医療関係者の確認作業が煩雑になってしまう。また、薬剤によっては、与薬の際に経管投与情報を含めた様々な注意すべき情報があるが、このような薬剤に関連する注意情報が医療関係者に共有されていない場合がある。
【０００５】
また、指示情報は、調剤が行われた後に変更される場合がある。このような場合、与薬準備を行う医療関係者は、変更後の指示情報に対応できずに与薬準備を行うことがある。そして、変更後の指示情報とは異なる薬剤を準備することになり、薬剤が無駄になる。そして、このようなことを防止するために、与薬準備の前に指示情報が最新かどうかの確認作業を行うと、確認作業がさらに煩雑になってしまう。
【０００６】
本発明は、上記のような課題を解決するものであり、医療関係者が行う混注作業等の与薬準備を支援しつつ、各種の薬剤の薬剤識別情報と各種の薬剤の与薬における注意情報を含む薬剤情報を効率よく共有することができる医療支援システムおよび作業台を提供することを目的とする。
【課題を解決するための手段】
【０００７】
本発明の医療支援システムは、薬剤容器に収容される薬剤を識別する薬剤識別情報を保持する薬剤識別情報保持手段であって、前記薬剤容器に付される前記薬剤識別情報保持手段を読み取り可能な読取装置と、操作者に情報を表示する表示装置と、前記読取装置から少なくとも前記薬剤識別情報を取得し、且つ、前記表示装置に情報を出力する制御装置と、を備えており、前記制御装置は、少なくとも１種類の与薬に使用される薬剤の前記薬剤識別情報を含む指示情報を取得する指示情報取得処理と、前記読取装置によって読み取られた前記薬剤識別情報保持手段が保持する前記薬剤識別情報と前記指示情報取得処理で取得された前記指示情報に含まれる前記薬剤識別情報とに基づいて、前記薬剤識別情報保持手段が付された前記薬剤容器に収容される薬剤が、前記指示情報に含まれる前記少なくとも１種類の与薬に使用される薬剤であるか否かを判定して、判定結果を出力する薬剤判定処理と、各種の薬剤の前記薬剤識別情報と各種の薬剤の与薬における注意情報を含む薬剤情報を記憶するデータテーブルであって、各種の薬剤の前記薬剤識別情報に紐づけて、各種の薬剤の与薬における前記注意情報を予め設定されたデータテーブルを参照して、前記薬剤容器に収容される薬剤または前記指示情報に含まれる前記少なくとも１種類の与薬に使用される薬剤に紐づけられる前記注意情報を前記表示装置に表示する表示処理と、を実行することを特徴とする。
【０００８】
この構成によると、読取装置は、薬剤容器に付された薬剤識別情報保持手段から薬剤識別情報を読み取る。また、制御装置の指示情報取得処理では、使用される薬剤の薬剤識別情報を含む指示情報を外部から取得する。制御装置の薬剤判定処理では、読取装置によって読み取られた薬剤識別情報保持手段が保持する薬剤識別情報と指示情報取得処理によって取得された指示情報に含まれる薬剤識別情報とを比較する。そして、制御装置の薬剤判定処理では、薬剤識別保持手段が付された薬剤容器に収容される薬剤が、指示情報に含まれる少なくとも１種類の与薬に使用される薬剤であるか判定する。そして、制御装置の薬剤判定処理では、判定結果を出力する。例えば、制御装置の薬剤判定処理では、判定結果を表示装置に表示する。これにより、本発明の医療支援システムは、操作者である医療関係者による目視による確認作業にかわって、与薬準備している薬剤が指示情報に含まれる使用される薬剤かどうかを医療関係者が表示装置で確認することができ、与薬する薬剤の取り違えを防止して、与薬準備を支援することができる。
また、制御装置の表示処理では、各種の薬剤の薬剤識別情報と各種の薬剤の与薬における注意情報を含む薬剤情報を記憶するデータテーブルを参照して、薬剤容器に収容される薬剤または指示情報に含まれる使用される薬剤に紐づけられる注意情報を表示装置に表示する。薬剤に関連する注意情報は、任意に設定することができる。つまり、医療関係者は、薬剤に関連する注意情報として、与薬時の注意事項等を設定することができる。これにより、本発明の医療支援システムは、与薬を行う直前の与薬準備を行う際に、薬剤に関連する注意情報を医療関係者に提供することができ、薬剤に関連する注意情報を効率よく共有することができる。
さらに、本発明の医療支援システムは、薬剤情報や注意情報を１つのデータテーブルでも管理可能なため、薬剤情報や注意事項のデータの追加や削除、更新等の保守作業が容易である。
なお、本発明の医療支援システムは、机や台等に配置することができる。そして、様々な場所において、医療関係者が行う与薬準備を支援することができる。
【０００９】
ここで、本発明の医療支援システムにおいて、前記読取装置は、第１指示情報を保持する指示情報保持手段であって、指示書に付された前記指示情報保持手段を読み取り可能に構成され、前記制御装置の前記指示情報取得処理は、前記読取装置によって読み取られた前記指示情報保持手段が保持する前記第１指示情報を前記指示情報として取得してよい。
【００１０】
この構成によると、処方せん等の指示書に付された指示情報保持手段が保持する第１指示情報から指示情報を取得することにより、与薬準備を支援することができる。
【００１１】
また、本発明の医療支援システムにおいて、前記制御装置の前記指示情報取得処理は、更に外部から第２指示情報を取得可能に構成され、前記制御装置の前記指示情報取得処理は、前記第１指示情報または前記第２指示情報のいずれか一方を前記指示情報としてよい。
【００１２】
この構成によると、外部から第２指示情報を取得可能である場合に、第１指示情報または第２指示情報のいずれか一方を指示情報とする。そして、例えば、第１指示情報および第２指示情報に指示した日時の情報が含まれる場合に、第１指示情報または第２指示情報のいずれか一方の指示した日時の新しい方を指示情報とすることができる。また、例えば、第２指示情報がある場合は、第２指示情報を指示情報とすることもできる。これにより、調剤した後に指示情報が変更になった場合であっても、外部から最新の指示情報に基づいて、医療関係者が薬剤の与薬準備を行うことができ、確認作業や薬剤の無駄を省いて、与薬準備を支援することができる。
【００１３】
また、本発明の医療支援システムにおいて、前記医療支援システムは、印刷を行う印刷装置をさらに備えており、前記制御装置は、前記注意情報が前記印刷装置で印刷されるように制御する印刷手段をさらに備えてよい。
【００１４】
この構成によると、注意情報が印刷装置で印刷物として印刷される。そして、印刷物により注意情報を医療関係者の間で容易に共有することができる。
【００１５】
また、本発明の医療支援システムにおいて、前記薬剤容器に収容される薬剤は、前記指示情報に基づいて調剤された薬剤であり、前記操作者は、前記薬剤を与薬する医療関係者であってよい。
【００１６】
この構成によると、薬剤容器に収容される薬剤は、指示情報に基づいて調剤された薬剤である。そして、操作者は、薬剤を与薬する医療関係者である。そのため、与薬の準備を行う際に、調剤された薬剤が指示情報に含まれる薬剤かどうかを確認することができる。そして、薬剤を与薬する者の目視による確認作業を省略することができる。また、薬剤を与薬する者が、薬剤の与薬を行う前に薬剤の注意情報を知ることができる。
【００１７】
また、本発明の医療支援システムにおいて、前記制御装置は、前記データテーブルに、各種の薬剤の前記薬剤識別情報に紐づけて、各種の薬剤の与薬における前記注意情報を設定する注意情報設定処理を更に実行してよい。
【００１８】
この構成によると、制御装置は、注意情報設定処理において、薬剤に関連する注意情報を、データテーブルに予め設定することができる。つまり、医療関係者は、薬剤に関連する注意情報として、与薬時の注意事項等を適宜設定することができる。これにより、本発明の医療支援システムは、与薬を行う直前の与薬準備を行う際に、薬剤に関連する注意情報を医療関係者に迅速に提供することができ、薬剤に関連する注意情報をより効率よく共有することができる。
【００１９】
本発明の作業台は、与薬準備に用いられる作業台であって、本発明の前記医療支援システムを少なくとも１つ備えることを特徴とする。
【００２０】
この構成によると、与薬準備に用いられる作業台は、医療支援システムを少なくとも１つ備える。これにより、本発明の作業台は、上述の本発明の医療支援システムと同じ効果を有する作業台を提供することができる。そして、本発明の作業台は、１つ以上の医療支援システムを１つのユニットとして簡易に提供することができる。
【発明の効果】
【００２１】
以上の説明に述べたように、本発明の医療支援システムおよび作業台によれば、医療関係者が行う混注作業等の与薬準備を支援しつつ、各種の薬剤の薬剤識別情報と各種の薬剤の与薬における注意情報を含む薬剤情報を効率よく共有することができる。
【図面の簡単な説明】
【００２２】
【図１】本実施形態の医療支援システムおよび作業台の概略図である。
【図２】本実施形態の薬剤容器の一例を示す図である。
【図３】本実施形態の指示書の一例を示す図である。
【図４】図１に示す医療支援システムを概略的に示すブロック図である。
【図５】図４に示す薬剤情報が記憶されるデータテーブルの一例を示す図である。
【図６】図４に示す注意情報設定処理で表示装置に表示される画面の一例を示す図である。
【図７】本実施形態の医療支援システムの制御装置で行われる処理の手順の一例を示すフローチャートである。
【図８】本実施形態の医療支援システムの制御装置で行われる注意情報設定処理の手順の一例を示すフローチャートである。
【図９】図４に示す注意情報が印刷された印刷物の一例を示す図である。
【発明を実施するための最良の形態】
【００２３】
以下、図面を参照しつつ、本発明の実施形態を説明する。
本発明は、医療関係者が行う薬剤の混注作業等の与薬準備を支援するための医療支援システムおよび作業台に関する。医療関係者には、薬剤を与薬する看護師や医師が含まれる。また、病院の注射薬は、医師が処方箋等の指示情報を発行し、薬剤部にて薬剤師が調剤を行い、ナースステーションにて看護師が混注作業を実施し、医師や看護師によって患者へ与薬される。よって、薬剤の混注作業は、指示情報に基づいて調剤された薬剤が収容されている薬剤容器に収容された２種類以上の薬剤を、シリンジ等を用いて混ぜ合わせ、注射による与薬に用いる混合薬剤を作る作業である。
【００２４】
まず、図２に基づいて、本実施形態の薬剤容器の一例について説明する。なお、本実施形態の薬剤容器に収容される薬剤は、指示情報に基づいて調剤された薬剤である。図２（ａ）に示すように、本実施形態の薬剤容器は、例えばバイアル瓶９３や輸液バッグ９４である。バイアル瓶９３は、薬剤９３ｃを収容して、金属キャップ９３ｄで密閉したガラス瓶である。バイアル瓶９３の金属キャップ９３ｄは、上部の中央にゴム部（図示せず）を有する。そして、バイアル瓶９３のゴム部には、シリンジ９５（図２（ｂ）参照）の注射針を刺すことができる。そして、バイアル瓶９３に収容された薬剤９３ｃをシリンジ９５に吸引したり、シリンジ９５に収容された薬剤をバイアル瓶９３に注入したりすることができるように構成される。バイアル瓶９３の側面には、ラベル９３ｂが貼付されている。ラベル９３ｂには、１次元バーコード（薬剤識別情報保持手段）９３ａが印刷されている。１次元バーコード９３ａは、そのバイアル瓶９３に収容されている薬剤を識別する薬剤識別情報を保持する。薬剤識別情報は、薬剤を識別する薬剤管理番号であってもよいし、薬剤を識別する薬剤名称であってもよいし、その両方であってもよい。輸液バッグ９４は、薬剤９４ｂである輸液を収容して、ゴム栓９４ｃで密閉したポリエチレン等の樹脂製のバッグである。そして、輸液バッグ９４のゴム栓９４ｃには、シリンジ９５の注射針を刺すことができる。そして、シリンジ９５に収容された薬剤を輸液バッグ９４に注入することができるように構成される。輸液バッグ９４には、１次元バーコード（薬剤識別情報保持手段）９４ａが貼付されている。１次元バーコード９４ａは、その輸液バッグ９４に収容されている輸液を識別する薬剤識別情報を保持する。
【００２５】
また、図２（ｂ）に示すように、本実施形態の薬剤容器は、シリンジ９５である。シリンジ９５は、液体や気体を注入および吸引するために用いられる薬剤容器である。シリンジ９５は、プランジャ９５ａを有し、シリンジ９５内に収容された薬剤９５ｂをプランジャ９５ａで密閉する。シリンジ９５の側面には、１次元バーコード（薬剤識別情報保持手段）９５ｃが貼付されている。１次元バーコード９５ｃは、そのシリンジ９５に収容されている薬剤を識別する薬剤識別情報を保持する。なお、バイアル瓶９３の１次元バーコード９３ａ、輸液バッグ９４の１次元バーコード９４ａ、および、シリンジ９５の１次元バーコード９５ｃは、いずれもＧＳ１コード規格で規定されたコードである。なお、薬剤９３ｃ、９４ｂ、９５ｂは、液体の薬剤であってもよいし、輸液等の溶剤で溶かした粉末の薬剤であってもよい。
【００２６】
また、図３に基づいて、本実施形態の指示書の一例について説明する。図３に示すように、指示書は、図３（ａ）に示す処方せん９１や図３（ｂ）に示す注射せん９２がある。図３（ａ）に示すように、処方せん９１は、２次元バーコード（指示情報保持手段）９１ａが印刷されている。また、図３（ｂ）に示すように、注射せん９２にも２次元バーコード（指示情報保持手段）９２ａが印刷されている。これら２次元バーコード９１ａ、９２ａには、指示情報を管理する番号（処方せん番号または注射せん番号）、患者名、および、少なくとも１種類の与薬に使用される薬剤の名称（薬剤識別情報）とその薬剤の指示成分量等を含む第１指示情報が記憶されている。
【００２７】
図１および図４に基づいて、本実施形態に係る医療支援システム２０および作業台１の概略構成について説明する。図１に示すように本実施形態の作業台１は、２つの医療支援システム２０（医療支援システム２０Ａ、２０Ｂ）を備える。医療支援システム２０Ａ、医療支援システム２０Ｂは、それぞれ、バーコードリーダ（読取装置）２２と、液晶ディスプレイ（表示装置）２３と、制御装置２１と、を有している。また、医療支援システム２０Ａおよび医療支援システム２０Ｂは、１つのプリンタ（印刷装置）２４を共有している。つまり、医療支援システム２０Ａが有するプリンタ２４と、医療支援システム２０Ｂが有するプリンタ２４とは同じである。図１の医療支援システム２０（医療支援システム２０Ａ、２０Ｂ）のそれぞれにおいて、液晶ディスプレイ２３は、制御装置２１と一つの筐体で成形される。医療支援システム２０（医療支援システム２０Ａ、２０Ｂ）それぞれのバーコードリーダ２２と、液晶ディスプレイ２３と、制御装置２１は、作業台１の後述する天板１０上に設置される。なお、以下の説明において、図１に示す上、下、左、右、前後の各方向を、上方向、下方向、左方向、右方向、および前後方向と定義する。
【００２８】
作業台１は、作業台１の左右方向および前後方向の最大４方向から医療関係者がアクセスして作業できるように構成される。作業台１は、天板１０とトレー部１１とハンガー部１３とを有する。トレー部１１は、天板１０の下方に設けられる。ハンガー部１３は、天板１０の上方に設けられる。
【００２９】
天板１０は、矩形の樹脂製または金属製の平板で形成される。天板１０は、その上で医療関係者が混注等の作業を行うため、医療関係者の胴体部付近の高さに配置されるように構成される。天板１０は、薬剤等が上面に配置されるため、耐薬品性、耐久性、清拭性に優れたメラミン樹脂等の材料で形成されることが好ましい。
【００３０】
トレー部１１は、天板１０の下方に配置される。トレー部１１は、右トレー部１１Ａ、左トレー部１１Ｂ、および、中央トレー部１１Ｃを有する。右トレー部１１Ａは、トレー部１１の左右方向の右部に配置される。左トレー部１１Ｂは、トレー部の左右方向の左部に配置される。中央トレー部１１Ｃは、トレー部１１の左右方向の中央であって、右トレー部１１Ａの左方および左トレー部１１Ｂの右方に配置される。右トレー部１１Ａ、左トレー部１１Ｂ、および、中央トレー部１１Ｃは、それぞれ複数のトレーを有する。複数のトレーには、医療材料等を収納することができる。中央トレー部１１Ｃが有する複数のトレーは、右トレー部１１Ａおよび左トレー部１１Ｂが有する複数のトレーより大きさがおおきい。右トレー部１１Ａが有する複数のトレーおよび左トレー部１１Ｂが有する複数のトレーは、大きさが同じである。右トレー部１１Ａ、左トレー部１１Ｂ、および、中央トレー部１１Ｃが有する複数のトレーは、前後方向のいずれの方向にも引き出すことができる。
【００３１】
ハンガー部１３は、天板１０の上方に配置される。ハンガー部１３は、右支柱部１３ａ、左支柱部１３ｂ、上支柱部１３ｃ、および、フック部１３ｄを有する。右支柱部１３ａは、上下方向に沿って配置され、下端部が天板１０の右端部における前後方向の略中央に固定設置される。左支柱部１３ｂは、上下方向に沿って配置され、下端部が天板１０の左端部における前後方向の略中央に固定設置される。上支柱部１３ｃは、左右方向に沿って配置され、右端部が右支柱部１３ａの上端部に接続され、左端部が左支柱部１３ｂの上端部に接続される。上支柱部１３ｃは、天板１０の前後方向の略中央の上方に配置される。右支柱部１３ａ、左支柱部１３ｂ、および、上支柱部１３ｃは一体で形成される。上支柱部１３ｃには、複数のフック部１３ｄが左右方向に沿って移動可能に装着される。複数のフック部１３ｄは、輸液バッグ９４等を引っ掛けることができる。
【００３２】
バーコードリーダ２２は、１次元バーコードおよび２次元バーコードをスキャンして読み取ることができる。より具体的には、バーコードリーダ２２は、処方せん（指示書）９１に印刷された２次元バーコード（指示情報保持手段）９１ａ、注射せん（指示書）９２に印刷された２次元バーコード（指示情報保持手段）９２ａ、バイアル瓶（薬剤容器）９３に付された１次元バーコード（薬剤識別情報保持手段）９３ａ、輸液バッグ（薬剤容器）９４に付された１次元バーコード（薬剤識別情報保持手段）９４ａ、および、シリンジ（薬剤容器）９５に付された１次元バーコード（薬剤識別情報保持手段）９５ｃを読み取ることができる。バーコードリーダ２２は、制御装置２１と有線通信可能または無線通信可能に接続されている。ここで、有線通信可能とは、配線によりバーコードリーダ２２と制御装置２１とが接続されることである。また、無線通信可能とは、無線ＬＡＮやBluetooth（登録商標）等によりバーコードリーダ２２と制御装置２１とが接続されることである。なお、以下の説明において、同様である。
【００３３】
液晶ディスプレイ２３は、制御装置２１と有線通信可能または無線通信可能に接続される。液晶ディスプレイ２３は、操作者に制御装置２１から出力された情報を表示する。操作者は、薬剤を与薬または与薬準備する医療関係者である。
【００３４】
プリンタ２４は、作業台１から離れた場所に配置される。プリンタ２４は、ラベルプリンタ、レーザプリンタ、インクジェットプリンタ等である。液晶ディスプレイ２３は、制御装置２１と有線通信可能または無線通信可能に接続される。プリンタ２４は、制御装置２１から出力された注意情報を印刷可能に構成される。
【００３５】
図４に示すように、入力装置２５は、制御装置２１と有線通信可能または無線通信可能に接続される。入力装置２５は、キーボード、マウスである。そして、入力装置２５は、接続および切断可能に構成される。
【００３６】
システムサーバ２は、外部のシステムであり、制御装置２１と有線通信可能または無線通信可能に接続される。システムサーバ２は、病院内の情報を管理するサーバである。システムサーバ２は、システムサーバ２が記憶する第２指示情報を制御装置２１に出力する。第２指示情報は、例えば、指示情報を変更する場合に、医師や薬剤師により指示された変更後の指示情報である。第２指示情報は、指示情報を管理する番号（処方せん番号または注射せん番号）、患者名、および、少なくとも１種類の与薬に使用される薬剤の名称（薬剤識別情報）とその薬剤の指示成分量等を含む。
【００３７】
制御装置２１は、筐体に制御基板等を内蔵して構成される。制御装置２１は、医療支援システム２０の制御を行う装置である。制御装置２１は、バスによって互いに接続された、ＣＰＵ（Ｃｅｎｔｒａｌ Ｐｒｏｃｅｓｓｉｎｇ Ｕｎｉｔ）等の演算部と、ＲＯＭ（Ｒｅａｄ Ｏｎｌｙ Ｍｅｍｏｒｙ）やＲＡＭ（Ｒａｎｄｏｍ Ａｃｃｅｓｓ Ｍｅｍｏｒｙ）等の記憶部等を備えている。制御装置２１には、液晶ディスプレイ２３、バーコードリーダ２２、プリンタ２４、入力装置２５、および、システムサーバ２が接続される。制御装置２１は、記憶部に記憶されたプログラムに従って、演算部によって医療支援システム２０の各処理を行う。
【００３８】
制御装置２１は、バーコードリーダ２２から薬剤識別情報および指示情報を取得する。つまり、制御装置２１は、バーコードリーダ２２で読み取った薬剤識別情報保持手段が保持する薬剤識別情報および指示情報保持手段が保持する第１指示情報を取得する。また、制御装置２１は、プリンタ２４に情報を出力する。
【００３９】
制御装置２１は、データテーブル２１ｆを有する。データテーブル２１ｆは、図５に示すように、各種の薬剤の薬剤識別情報と各種の薬剤の与薬における注意情報を含む薬剤情報を記憶する。図５に示すように、データテーブル２１ｆは、各種の薬剤の薬剤識別情報として、薬剤管理番号と薬剤名とを記憶する。また、データテーブル２１ｆは、各種の薬剤の与薬における注意情報として、与薬方法の注意事項等を記憶する。さらに、データテーブル２１ｆは必ずしも制御装置２１が有する必要はない。例えば、図４にあるシステムサーバ等の外部のシステムがデータテーブル２１ｆを有しており、制御装置２１から逐一参照してもよい。
【００４０】
制御装置２１は、注意情報設定処理２１ａ、指示情報取得処理２１ｂ、薬剤判定処理２１ｃ、表示処理２１ｄ、および、印刷処理２１ｅを実行する。ここで、制御装置２１が行う各処理について、図７および図８に基づいて説明する。
【００４１】
図７に示すように、注意情報設定処理２１ａでは、データテーブル２１ｆに、各種の薬剤の薬剤識別情報に紐づけて、各種の薬剤の与薬における注意情報を予め設定する（ステップＳ１）。ここで、制御装置２１が実行する注意情報設定処理２１ａについて、図８に基づいて詳細に説明する。
【００４２】
図８に示すように、注意情報設定処理２１ａでは、まず、入力装置２５が制御装置２１から切断されている場合に、制御装置２１に入力装置２５が接続される（ステップＳ１１）。なお、予め入力装置２５が制御装置２１に接続されている場合は、このステップＳ１１の処理は行われない。
【００４３】
そして、入力装置２５を介して、液晶ディスプレイ２３に表示された注意情報の入力を開始するための注意事項作成ボタン（図示せず）を押下する入力が行われる（ステップＳ１２）。
【００４４】
制御装置２１は、注意事項作成ボタンが押下された入力信号が入力されると、注意事項フォームを表示する（ステップＳ１３）。注意事項フォームの一例を図６に示す。図６に示すように、注意事項フォーム２３ａには、例えば、薬剤識別情報としての薬剤名と、注意情報としての与薬時の注意事項とを入力できるように表示される。
【００４５】
そして、入力装置２５を介して、液晶ディスプレイ２３に表示された注意事項フォーム２３ａに、薬剤識別情報および注意情報が入力される（ステップＳ１４）。なお、薬剤識別情報としての薬剤名は、入力装置２５を介して文字列を入力できるように構成されてもよいし、入力装置２５を介して複数の薬剤名から選択できるように構成されてもよい。また、注意情報としての与薬時の注意事項は、入力装置２５を介して文字列を入力できるように構成されてもよいし、入力装置２５を介して外部から提供された薬剤に関する説明ファイルをデータ入力できるように構成されてもよい。また、注意情報は文字列に限らず、画像等のファイルでもよいし、文字列と画像等のファイルを組み合わせてもよい。さらに、薬剤識別情報としての薬剤名は、１つの注意情報に対して、１つの薬剤名が入力できるように構成されてもよいし、互いに注意事項が関連する複数の薬剤名が入力できるように構成されてもよい。
【００４６】
最後に、入力装置２５を介して、液晶ディスプレイ２３に表示された注意情報の入力を終了する注意事項保存ボタン２３ｂを押下する入力が行われる（ステップＳ１５）。制御装置２１は、注意事項保存ボタン２３ｂが押下された入力信号が入力されると、注意事項フォーム２３ａに入力された薬剤識別情報および薬剤識別情報に紐づけた注意情報をデータテーブル２１ｆに保存する。以上で注意情報設定処理２１ａの処理を終了する。
【００４７】
次に、図７に示すように、指示情報取得処理２１ｂでは、制御装置２１は、バーコードリーダ２２で読み取った少なくとも１種類の与薬に使用される薬剤の薬剤識別情報を含む指示情報を取得する（ステップＳ２）。本実施形態の指示情報取得処理２１ｂでは、制御装置２１は、バーコードリーダ２２で読み取った処方せん９１に印刷された２次元バーコード９１ａが保持する第１指示情報、または、バーコードリーダ２２で読み取った注射せん９２に印刷された２次元バーコード９２ａが保持する第１指示情報を取得する。または、制御装置２１は、システムサーバ２から第２指示情報を取得する。指示情報取得処理２１ｂは、システムサーバ２から第２指示情報を取得していない場合は、バーコードリーダ２２で読み取った処方せん９１に印刷された２次元バーコード９１ａが保持する第１指示情報、または、バーコードリーダ２２で読み取った注射せん９２に印刷された２次元バーコード９２ａが保持する第１指示情報を指示情報とする。指示情報取得処理２１ｂは、システムサーバ２から第２指示情報を取得した場合は、第１指示情報を取得していたとしても、システムサーバ２から取得した第２指示情報を指示情報とする。
【００４８】
そして、薬剤判定処理２１ｃでは、制御装置２１は、バーコードリーダ２２により、バイアル瓶９３に付された１次元バーコード９３ａが保持する薬剤識別情報、輸液バッグ９４に付された１次元バーコード９４ａが保持する薬剤識別情報、および、シリンジ９５に付された１次元バーコード９５ｃが保持する薬剤識別情報を読み取る（ステップＳ４）。そして、薬剤判定処理２１ｃでは、制御装置２１は、バーコードリーダ２２で読み取られた薬剤識別情報と指示情報取得処理２１ｂで取得された指示情報に基づいて、１次元バーコード９３ａが付されたバイアル瓶９３に収容される薬剤、１次元バーコード９４ａが付された輸液バッグ９４に収容される薬剤、１次元バーコード９５ｃが付されたシリンジ９５に収容される薬剤が、指示情報に含まれる薬剤であるか否かを判定して、判定結果を出力する（ステップＳ４）。制御装置２１は、判定結果を液晶ディスプレイ２３に表示する。具体的には、制御装置２１は、液晶ディスプレイ２３に、１次元バーコード９３ａが付されたバイアル瓶９３に収容される薬剤、１次元バーコード９４ａが付された輸液バッグ９４に収容される薬剤、１次元バーコード９５ｃが付されたシリンジ９５に収容される薬剤が、指示情報に含まれる薬剤であるか否かの表示を行う。
【００４９】
そして、表示処理２１ｄでは、制御装置２１は、液晶ディスプレイ２３に、データテーブル２１ｆを参照して、バーコードリーダ２２で読み取られた１次元バーコード９３ａが付されたバイアル瓶９３に収容される薬剤、１次元バーコード９４ａが付された輸液バッグ９４に収容される薬剤、および、１次元バーコード９５ｃが付されたシリンジ９５に収容される薬剤の少なくともいずれかに紐づけられる注意情報を液晶ディスプレイ２３に表示する（ステップＳ５）。具体的には、図５に示すデータテーブル２１ｆを参照し、バーコードリーダ２２で読み取られた１次元バーコード９３ａが付されたバイアル瓶９３に収容される薬剤、１次元バーコード９４ａが付された輸液バッグ９４に収容される薬剤、および、１次元バーコード９５ｃが付されたシリンジ９５に収容される薬剤の少なくともいずれかに紐づけられて登録された注意情報を表示する。また、表示処理２１ｄでは、制御装置２１は、指示情報取得処理２１ｂで取得された指示情報に基づいて、指示情報として記載された与薬に使用される薬剤の指示成分量から薬剤の必要量を計算し、薬剤の必要量を液晶ディスプレイ２３に表示する（ステップＳ５）。
【００５０】
最後に、印刷処理２１ｅでは、制御装置２１は、表示処理２１ｄで表示された注意情報をプリンタ２４で印刷する（ステップＳ６）。プリンタ２４で表示情報が印刷された印刷物の一例を図９に示す。図９に示すように、印刷物８０には、バーコードリーダ２２で読み取られた１次元バーコード９３ａが付されたバイアル瓶９３に収容される薬剤、１次元バーコード９４ａが付された輸液バッグ９４に収容される薬剤、および、１次元バーコード９５ｃが付されたシリンジ９５に収容される薬剤の少なくともいずれかの薬剤の薬剤識別情報（薬剤名）と、その薬剤に紐づけられる注意情報（与薬時の注意事項）とが表示される。
【００５１】
本実施形態の医療支援システム２０は、以下の効果を有する。
【００５２】
本実施形態の医療支援システム２０は、バーコードリーダ２２が、バイアル瓶９３に付された１次元バーコード９３ａ、輸液バッグ９４に付された１次元バーコード９４ａおよび、シリンジ９５に付された１次元バーコード９５ｃから薬剤識別情報を読み取る。また、制御装置２１の指示情報取得処理２１ｂでは、使用される薬剤の薬剤識別情報を含む指示情報を外部から取得する。制御装置２１の薬剤判定処理２１ｃでは、バーコードリーダ２２によって読み取られたバイアル瓶９３に付された１次元バーコード９３ａが保持する薬剤識別情報、輸液バッグ９４に付された１次元バーコード９４ａが保持する薬剤識別情報、および、シリンジ９５に付された１次元バーコード９５ｃが保持する薬剤識別情報の少なくともいずれかと、指示情報取得処理２１ｂによって取得された指示情報に含まれる薬剤識別情報とを比較する。そして、制御装置２１の薬剤判定処理２１ｃでは、１次元バーコード９３ａが付されたバイアル瓶９３に収容される薬剤、１次元バーコード９４ａが付された輸液バッグ９４に収容される薬剤、１次元バーコード９５ｃが付されたシリンジ９５に収容される薬剤が、指示情報に含まれる少なくとも１種類の与薬に使用される薬剤であるか判定する。そして、制御装置２１の薬剤判定処理２１ｃでは、判定結果を出力する。例えば、制御装置２１の薬剤判定処理２１ｃでは、判定結果を液晶ディスプレイ２３に表示する。これにより、本実施形態の医療支援システム２０は、操作者である医療関係者による目視による確認作業にかわって、与薬準備している薬剤が指示情報に含まれる使用される薬剤かどうかを医療関係者が液晶ディスプレイ２３で確認することができ、与薬する薬剤の取り違えを防止して、与薬準備を支援することができる。
【００５３】
また、本実施形態の医療支援システム２０は、制御装置２１の表示処理２１ｄで、各種の薬剤の薬剤識別情報と各種の薬剤の与薬における注意情報を含む薬剤情報を記憶するデータテーブル２１ｆを参照して、バーコードリーダ２２で読み取られた１次元バーコード９３ａが付されたバイアル瓶９３に収容される薬剤、１次元バーコード９４ａが付された輸液バッグ９４に収容される薬剤、および、１次元バーコード９５ｃが付されたシリンジ９５に収容される薬剤の少なくともいずれかに紐づけられる注意情報を液晶ディスプレイ２３に表示する。薬剤に関連する注意情報は、任意に設定することができる。つまり、医療関係者は、薬剤に関連する注意情報として、与薬時の注意事項等を設定することができる。これにより、本実施形態の医療支援システム２０は、与薬を行う直前の与薬準備を行う際に、薬剤に関連する注意情報を医療関係者に提供することができ、薬剤に関連する注意情報を効率よく共有することができる。
【００５４】
さらに、本実施形態の医療支援システム２０は、薬剤情報や注意情報を１つのデータテーブル２１ｆで管理している。そのため、薬剤情報や注意事項のデータの追加や削除、更新等の保守作業が容易である。
【００５５】
また、本実施形態の医療支援システム２０は、バーコードリーダ２２で読み取った処方せん９１に印刷された２次元バーコード９１ａが保持する第１指示情報、または、バーコードリーダ２２で読み取った注射せん９２に印刷された２次元バーコード９２ａが保持する第１指示情報から指示情報を取得することにより、与薬準備を支援することができる。
【００５６】
また、本実施形態の医療支援システム２０は、外部のシステムサーバ２から第２指示情報を取得可能である。そして、指示情報取得処理２１ｂは、システムサーバ２から第２指示情報を取得した場合は、第１指示情報を取得していたとしても、システムサーバ２から取得した第２指示情報を指示情報とする。これにより、調剤した後に指示情報が変更になった場合であっても、外部のシステムサーバ２から取得した最新の指示情報に基づいて、医療関係者が薬剤の与薬準備を行うことができ、確認作業や薬剤の無駄を省いて、与薬準備を支援することができる。
【００５７】
また、本実施形態の医療支援システム２０は、注意情報がプリンタ２４で印刷物８０として印刷される。そして、印刷物８０により注意情報を医療関係者の間で容易に共有することができる。
【００５８】
また、本実施形態の医療支援システム２０において、バイアル瓶９３に収容される薬剤、輸液バッグ９４に収容される薬剤、シリンジ９５に収容される薬剤は、指示情報に基づいて調剤された薬剤である。そして、操作者は、薬剤を与薬する医療関係者である。そのため、与薬の準備を行う際に、調剤された薬剤であるバイアル瓶９３に収容される薬剤、輸液バッグ９４に収容される薬剤、シリンジ９５に収容される薬剤が指示情報に含まれる薬剤かどうかを確認することができる。そして、薬剤を与薬する者の目視による確認作業を省略することができる。また、薬剤を与薬する者が、薬剤の与薬を行う前に薬剤の注意情報を知ることができる。
【００５９】
また、本実施形態の医療支援システム２０において、制御装置２１は、注意情報設定処理２１ａにおいて、薬剤に関連する注意情報を、データテーブル２１ｆに予め設定することができる。つまり、医療関係者は、薬剤に関連する注意情報として、与薬時の注意事項等を適宜設定することができる。これにより、本実施形態の医療支援システム２０は、与薬を行う直前の与薬準備を行う際に、薬剤に関連する注意情報を医療関係者に迅速に提供することができ、薬剤に関連する注意情報をより効率よく共有することができる。
【００６０】
また、本実施形態の作業台１は、与薬または与薬準備に用いられる作業台１である。そして、本実施形態の作業台１は、医療支援システム２０を２つ備える。これにより、本実施形態の作業台１は、上述の本実施形態の医療支援システム２０と同じ効果を有する作業台１を提供することができる。そして、本実施形態の作業台１は、２つの医療支援システム２０Ａ、２０Ｂを１つのユニットとして簡易に提供することができる。
【００６１】
以上、本発明の好適な実施の形態について説明したが、本発明は上述の実施形態や実施例に限られるものではなく、特許請求の範囲に記載した限りにおいて様々な設計変更が可能なものである。
【００６２】
例えば、上述の実施形態の医療支援システム２０および作業台１では、薬剤容器は、バイアル瓶９３、輸液バッグ９４、シリンジ９５の少なくともいずれかである。しかしながら、本発明の医療支援システムおよび作業台において、薬剤容器はそれらに限らず、薬剤が収容される薬剤容器であればよい。例えば、薬剤容器は、散剤である薬剤が収容された樹脂製の分袋であってもよい。
【００６３】
上述の実施形態の医療支援システム２０および作業台１では、薬剤容器であるバイアル瓶９３に付されている薬剤識別情報保持手段は１次元バーコード９３ａである。また、薬剤容器である輸液バッグ９４に付されている薬剤識別情報保持手段は１次元バーコード９４ａである。また、シリンジ９５に付されている薬剤識別情報保持手段は１次元バーコード９５ｃである。しかしながら、本発明の医療支援システムおよび作業台において、薬剤識別情報保持手段は１次元バーコードに限らず、薬剤容器に収容される薬剤を識別することができるものであればよい。例えば、薬剤識別情報保持手段は、２次元バーコード等であってもよい。また、上述の実施形態の医療支援システム２０および作業台１では、バイアル瓶９３の１次元バーコード９３ａ、輸液バッグ９４の１次元バーコード９４ａ、および、シリンジ９５の１次元バーコード９５ｃは、いずれもＧＳ１コード規格で規定されたコードであるが、それに限らず、他の規格等で規定されたコードであってもよい。
【００６４】
上述の実施形態の医療支援システム２０および作業台１では、処方せん９１に付されている指示情報保持手段は２次元バーコード９１ａである。また、注射せん９２に付されている指示情報保持手段は２次元バーコード９２ａである。しかしながら、本発明の医療支援システムおよび作業台において、指示情報保持手段は２次元バーコードに限らず、指示情報を保持することができるものであればよい。例えば、指示情報保持手段は、１次元バーコードであってもよい。そして、指示情報保持手段は、指示情報を管理する番号のみを保持して、外部のシステム（例えばシステムサーバ２）に保存された第２指示情報を呼び出して取得するものであってもよい。
【００６５】
上述の実施形態の医療支援システム２０および作業台１では、表示装置は液晶ディスプレイ２３である。しかしながら、本発明の医療支援システムおよび作業台において、表示装置は、液晶ディスプレイに限らず、情報を表示することができる装置であればよい。例えば、表示装置は、携帯端末やタブレット端末であってもよい。
【００６６】
上述の実施形態の医療支援システム２０および作業台１では、液晶ディスプレイ２３は、制御装置２１と一つの筐体で成形される。しかしながら、本発明の医療支援システムおよび作業台において、液晶ディスプレイ２３は制御装置２１と別の筐体で構成されてよい。または、発明の医療支援システムおよび作業台において、液晶ディスプレイ２３は、制御装置２１に脱着可能に構成されていてもよい。そして、発明の医療支援システムおよび作業台において、液晶ディスプレイ２３は、ハンガー部１３のフック部１３ｄに引っ掛けられるように構成されて、作業台１の天板１０上に設置されずに、作業台１のフック部１３ｄに引っ掛けて設置されてもよい。
【００６７】
上述の実施形態の作業台１では、２つの医療支援システム２０Ａ、２０Ｂを有する。しかしながら、本発明の作業台において、医療支援システムは１つだけ備えてもよいし、３つ以上備えてもよい。
【００６８】
上述の実施形態の作業台１では、制御装置２１は、２つの医療支援システム２０Ａ、２０Ｂのそれぞれが有する。しかしながら、本発明の作業台では、複数の医療支援システムで１つの制御装置を共有してもよい。
【００６９】
上述の実施形態の作業台１では、プリンタ２４は、２つの医療支援システム２０Ａ、２０Ｂが共有する。しかしながら、本発明の作業台では、印刷装置は、複数の医療支援システムのそれぞれが有してもよい。
【００７０】
上述の実施形態の医療支援システム２０および作業台１では、制御装置２１は、作業台１の天板１０上に設置される。しかしながら、本発明の医療支援システムおよび作業台において、制御装置は、作業台の天板より下方に設置されてよい。例えば、本発明の医療支援システムおよび作業台において、制御装置は、トレー部１１の一部に収容されて設置されてよい。
【００７１】
上述の実施形態の作業台１は、天板１０とトレー部１１とハンガー部１３とを有する。しかしながら、本発明の作業台において、少なくとも１つの医療支援システムと天板のみ有していれば、トレー部およびハンガー部の少なくともいずれかは有さなくてよい。
【００７２】
上述の実施形態の作業台１は、トレー部１１が、右トレー部１１Ａ、左トレー部１１Ｂ、および、中央トレー部１１Ｃを有する。しかしながら、本発明の作業台において、トレー部は、これらの少なくともいずれかを有するものであってもよい。また、本発明の作業台において、例えば、トレー部は、図１に示す形状とは異なるトレー部を有してもよい。さらに、本発明の作業台において、例えば、トレー部は、少なくとも一部にスペースを有してもよい。
【００７３】
上述の実施形態の作業台１は、ハンガー部１３は、右支柱部１３ａ、左支柱部１３ｂ、上支柱部１３ｃ、および、フック部１３ｄを有する。しかしながら、本発明の作業台において、ハンガー部１３は、右支柱部１３ａおよび左支柱部１３ｂに替えて、天板１０の略中央に下端部が配置された中央支柱部を有し、中央支柱部の上端部に上支柱部１３ｃが配置されるものであってもよい。
【００７４】
上述の実施形態の医療支援システム２０および作業台１では、プリンタ２４は、作業台１から離れた場所に配置される。しかしながら、本発明の医療支援システムおよび作業台において、プリンタは、作業台１の天板１０上に配置されてもよい。
【００７５】
上述の実施形態の医療支援システム２０および作業台１では、入力装置２５は、制御装置２１と有線通信可能または無線通信可能に接続される。しかしながら、本発明の医療支援システムおよび作業台において、入力装置は、タッチパネルとして液晶ディスプレイ２３と一体で形成されてもよい。この場合において、入力装置は、接続および切断可能に構成されない。
【００７６】
上述の実施形態の医療支援システム２０および作業台１では、システムサーバ２は、制御装置２１に接続されている。しかしながら、本発明の医療支援システムおよび作業台において、システムサーバは制御装置に接続されていなくてよい。この場合において、制御装置は、第２指示情報を取得しない。
【００７７】
上述の実施形態の医療支援システム２０および作業台１では、制御装置２１は、注意情報設定処理２１ａを実行する。しかしながら、本発明の医療支援システムおよび作業台において、制御装置は、注意情報設定処理を実行しなくてよい。この場合、注意情報は、外部（例えば、システムサーバ２）でデータテーブルに登録され、外部（例えば、システムサーバ２やＵＳＢ等の記憶媒体）から取得した制御装置２１がデータテーブル２１ｆとして記憶する。また、上述の実施形態の医療支援システム２０および作業台１では、制御装置２１は、注意情報設定処理２１ａを予め実行する。しかしながら、本発明の医療支援システムおよび作業台において、制御装置は、注意情報設定処理のタイミングは事前に限らず、どのタイミングにおいて実行してもよい。
【００７８】
上述の実施形態の医療支援システム２０および作業台１では、制御装置の注意情報設定処理２１ａでは、入力装置２５を介して、液晶ディスプレイ２３に表示された注意事項作成ボタンを押下することにより、注意情報の入力を開始している。しかしながら、本発明の医療支援システムおよび作業台において、制御装置の注意情報設定処理２１ａにおいて、入力装置２５が有する注意事項作成ボタンやその他の方法により、注意情報の入力を開始してもよい。また、上述の実施形態の医療支援システム２０および作業台１では、制御装置の注意情報設定処理２１ａでは、入力装置２５を介して、液晶ディスプレイ２３に表示された注意事項保存ボタン２３ｂを押下することにより、注意情報の入力を終了している。しかしながら、本発明の医療支援システムおよび作業台において、制御装置の注意情報設定処理２１ａにおいて、入力装置２５が有する注意事項保存ボタンやその他の方法により、注意情報の入力を終了してもよい。
【００７９】
上述の実施形態の医療支援システム２０および作業台１では、制御装置２１は、印刷処理２１ｅを実行して、注意情報を印刷する。しかしながら、本発明の医療支援システムおよび作業台において、制御装置は、印刷処理を実行しなくてよい。
【００８０】
上述の実施形態の医療支援システム２０および作業台１では、制御装置２１は、指示情報取得処理２１ｂで、システムサーバ２から第２指示情報を取得した場合は、第１指示情報を取得していたとしても、システムサーバ２から取得した第２指示情報を指示情報とする。しかしながら、本発明の医療支援システムおよび作業台において、制御装置は、指示情報取得処理で、第１指示情報および第２指示情報に指示した日時の情報が含まれる場合に、第１指示情報または第２指示情報のいずれか一方の指示した日時の新しい方を指示情報としてもよい。
【００８１】
上述の実施形態の医療支援システム２０および作業台１では、制御装置２１は、薬剤判定処理２１ｃで、判定結果を液晶ディスプレイ２３に表示する。しかしながら、本発明の医療支援システムおよび作業台において、制御装置は、薬剤判定処理で判定結果を出力することができればよい。例えば、本発明の医療支援システムおよび作業台において、制御装置は、薬剤判定処理で判定結果を音や光により報知してもよい。
【００８２】
上述の実施形態の医療支援システム２０および作業台１では、制御装置２１は、表示処理２１ｄで、データテーブル２１ｆを参照し、バーコードリーダ２２で読み取られた１次元バーコード９３ａが付されたバイアル瓶９３に収容される薬剤、１次元バーコード９４ａが付された輸液バッグ９４に収容される薬剤、および、１次元バーコード９５ｃが付されたシリンジ９５に収容される薬剤の少なくともいずれかに紐づけられて登録された注意情報を表示する。しかしながら、本発明の医療支援システムおよび作業台において、制御装置は、表示処理で、指示情報取得部で取得した指示情報に含まれる与薬に使用される薬剤に紐づけられて登録された注意情報を表示してもよい。
【００８３】
上述の実施形態の医療支援システム２０および作業台１では、制御装置２１は、表示処理２１ｄでは、制御装置２１は、指示情報取得処理２１ｂで取得された指示情報に基づいて、指示情報として記載された与薬に使用される薬剤の指示成分量から薬剤の必要量を計算し、液晶ディスプレイ２３に表示する。しかしながら、本発明の医療支援システムおよび作業台において、制御装置は、表示処理で、薬剤の必要量を計算して表示装置に表示しなくてもよい。
【００８４】
上述の実施形態の医療支援システム２０は、作業台１に備えられている。しかしながら、本発明の医療支援システムは、作業台１に備えられなくてよい。例えば、本発明の医療支援システムは、机や台等に配置することができる。この場合、様々な場所において、医療関係者が行う与薬準備を支援することができる。
【符号の説明】
【００８５】
１    作業台
２    システムサーバ（外部）
２０  医療支援システム
２１  制御装置
２１ａ  注意情報設定処理
２１ｂ  指示情報取得処理
２１ｃ  薬剤判定処理
２１ｄ  表示処理
２１ｅ  印刷処理
２１ｆ  データテーブル
２２  バーコードリーダ（読取装置）
２３  液晶ディスプレイ（表示装置）
２４  プリンタ（印刷装置）
２５  入力装置
８０  印刷物
９１  処方せん（指示書）
９１ａ  ２次元バーコード（指示情報保持手段）
９２  注射せん（指示書）
９２ａ  ２次元バーコード（指示情報保持手段）
９３  バイアル瓶（薬剤容器）
９３ｃ  薬剤
９４  輸液バッグ（薬剤容器）
９４ａ  １次元バーコード（薬剤識別情報保持手段）
９４ｂ  薬剤
９５  シリンジ
９５ｂ  薬剤
【図１】
2019180586.tif 000003
【図２】
2019180586.tif 000004
【図３】
2019180586.tif 000005
【図４】
2019180586.tif 000006
【図５】
2019180586.tif 000007
【図６】
2019180586.tif 000008
【図７】
2019180586.tif 000009
【図８】
2019180586.tif 000010
【図９】
2019180586.tif 000011